(57)【要約】【課題】  足置き部材に取り付けた伸び縮みをする伸縮部材が切れた際に、切れた伸縮部材の跳ね返りが足に当たらない筋肉トレーニング器を提供することを課題とする。【解決手段】  上記課題を解決する為に本発明は、上面に足を乗せる足置き部を有する足置き部材の所定の箇所に、伸縮性と柔軟性を有し、且つ所定の長さを有する、紐状又は帯状又は管状又はその他の形状から成る伸縮部材の片側が取り付けられている。そして、該伸縮部材の他片側には足を掛ける手段を有する足掛け部が形成されている。少なくとも以上の構成からなる筋肉トレーニング器の伸縮部材に於いて、該伸縮部材が所定の長さを有する少なくとも三本の部材から成り、且つ編まれた構造であることを特徴とする筋肉トレーニング器を提供する。【選択図】図１
2012030026.tif 000002
【特許請求の範囲】
【請求項１】
上面に足を乗せる足置き部を有する足置き部材の所定の箇所に、伸縮性と柔軟性を有し、且つ所定の長さを有する、紐状又は帯状又は管状又はその他の形状から成る伸縮部材の片側が取り付けられている。そして、該伸縮部材の他片側には足を掛ける手段を有する足掛け部が形成されている。少なくとも以上の構成から成る筋肉トレーニング器の伸縮部材に於いて、該伸縮部材が所定の長さを有する少なくとも三本の部材から成り、且つ編まれた構造であることを特徴とする筋肉肉トレーニング器。
【請求項２】
足置き部材に伸縮部材の引き伸ばす方向を変換させる為の回転ローラーを形成したことを特徴とする請求項１に記載の筋肉トレーニング器。
【請求項３】
足置き部材の上面に足を乗せて回転させる回転盤を形成したことを特徴とする請求項１〜２のいずれかに記載の筋肉トレーニング器。
【請求項４】
足掛け部を環状且つ帯状に形成したことを特徴とする請求項１〜３のいずれかに記載の筋肉トレーニング器。
【請求項５】
伸縮部材をゴム材で形成したことを特徴とする請求項１〜４のいずれかに記載の筋肉トレーニング器。
【発明の詳細な説明】
【技術分野】
【０００１】  本発明は腕及び肩及び背中の筋肉を鍛えるための筋肉トレーニング器に関する。
【背景技術】
【０００２】  従来、腕及び肩及び背中の筋肉を鍛えるための器具は色々提供されているが、其の一つに足を乗せる箇所（足置き部）を有する板状の部材に所定の長さを有する紐状の伸縮部材（従来の器具ではゴム材が使用されている）を取り付け、其の伸縮部材の他片側に足を掛ける環状の足掛け部を形成したものが有る。この器具は片足を足置き部に乗せ、もう一方の足先を足掛け部に差し込んで任意の方向に引き張り、足腰の筋肉を鍛えるものであるが、伸縮部材が一本のゴム材で形成されている為、引き張った際に切れた場合、ゴムの跳ね返りが使用者に当たる危険性が有った。
【発明が解決しようとする課題】
【０００３】  本発明においては、伸縮部材が切れた際、使用者に伸縮部材が当たらない様にすることを課題とする。
【課題を解決するための手段】
【０００４】  上記課題を解決する為に、本発明は次ぎの如き筋肉トレーニング器を提供する。
１、上面に足を乗せる足置き部を有する足置き部材の所定の箇所に、伸縮性と柔軟性を有し、且つ所定の長さを有する、紐状又は帯状又は管状又はその他の形状から成る伸縮部材の片側が取り付けられている。そして、該伸縮部材の他片側には足を掛ける手段を有する足掛け部が形成されている。少なくとも以上の構成から成る筋肉トレーニング器の伸縮部材に於いて、該伸縮部材が所定の長さを有する少なくとも三本の部材から成り、且つ編まれた構造であることを特徴とする筋肉トレーニング器。
２、足置き部材に伸縮部材の引き伸ばす方向を変換させる為の回転ローラーを形成したことを特徴とする上記第１項に記載の筋肉トレーニング器。
３、足置き部材の上面に足を乗せて回転させる回転盤を形成したことを特徴とする上記第１〜２項のいずれかに記載の筋肉トレーニング器。
４、足掛け部を環状且つ帯状に形成したことを特徴とする上記第１〜３項のいずれかに記載の筋肉トレーニング器。
５、伸縮部材をゴム材で形成したことを特徴とする上記第１〜４項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものでは無い。
【０００６】  図１は本発明に係る筋肉トレーニング器の全体の形態を示す斜視図（ａ）と一部分の構造を示す斜視図（ｂ）である。図１（ａ）に示す筋肉トレーニング器は上面に足を乗せる足置き部２を有する足置き部材１の上面に、所定の長さを有する紐状の柔軟性と伸縮性を有する部材を三本纏めて編みあげ一本の伸縮部材３とし、其の片側を足置き部材に取り付け、該伸縮部材３の他片側に足を掛ける為の、環状且つ帯状の足掛け部４を形成した図である。図（ｂ）は編まれた伸縮部材３の切り口を拡大した部分図である。図（ｂ）は図（ａ）では一本で示されている伸縮部材３が三本の伸縮部材３で編まれた構造であることを示すものである。
【０００７】  使用する方法は、足置き部２に片足を乗せ、他方の足を足掛け部に差し込んで任意の方向に引くと云うものである。その様にすると伸縮部材３が伸び、其の張力に依って足腰の筋肉を鍛えることができるのであるが、従来の伸縮部材は一本の伸縮部材である為、一箇所に切れ目が入ると、引き張っているうちに其の一箇所に於いて連続して切れが成長し最終的には引き張っている際に、其の部分が切断し、其の跳ね返りが使用者に当たる危険性が有った。本発明の構造に依れば、伸縮部材が三本から成り、且つ編まれている為、一本が切れても他の二本が切れた一本に絡んでいる為、切れた伸縮部材３の跳ね返りを抑えることができるのである。又、三本から成る伸縮部材３は使用の際、外部から切断しない限り、一箇所が纏めて同時に切れる可能性は極めて低い為、三本を編んで一本にすることで安全性を確保することができるのである。
【０００８】  次に各部の詳細に就いて説明する。足置き部材１は足を乗せる足置き部２と伸縮部材３又は其の他の部材を取り付ける母材と成る部材である。形状、材質、寸法は任意であるが、実施上、形状は図１に示す板状部材又は板状部材に足を取り付けたものでも良い。材質は木材又はプラスチック材又はゴム材又は金属材などが選択できる。寸法は縦５０ｃｍ以上、横２０ｃｍ以上、高さ８ｃｍ以下が好ましい。次に足置き部２であるが、足置き部２は足置き部材１の上側に於いて足を置ける広さを有する箇所を示すものである。寸法は縦横其々１５ｃｍ以上の広さであることが好ましい。次に伸縮部材３であるが、伸縮部材３の材質はゴム材が好ましい。ゴム材にも天然ゴムやシリコンゴムがあるがそれらに就いては実施の上で経験的に決定されて良い。長さは５０ｃｍ以上で太さは三本を纏めて断面が１平方ｃｍ程度であることが好ましい。ゴム材の場合、伸び率は伸びていない時を１とすると伸びた時に２以上であることが好ましい。又、三本の太さは其々異なっていても良い。又編み方は任意であり、粗く編むか、細かく編むかは実施の上で経験的に決定されて良い。又、三本を構成する各一本が複数の伸縮部材で形成されていても良い。又、図１に於いては三本を編んだ構造を示しているが、四本又は五本を編んで一本にしたものでも良い。又、伸縮部材３に引き伸ばした際に引き伸ばした長さを知る為の印を付けても良い。印は伸縮部材３に所定の間隔を有して、線で付けても良いし、所定の間隔を有して色を付けて区分しても良い。伸縮部材３の足置き部材１への取り付け位置は任意であり、表側に限らず裏側でも良い。次に足掛け部４であるが足掛け部４は足先を掛けて伸縮部材３を引き伸ばす為に形成されたものである。足を掛ける手段と云うのは足の甲及び足の裏及び足の側面及び指先を掛けて引くことができる機能を有することを云う。図１に於いて足掛け部４は環状且つ帯状の部材で形成されているが、形状、材質、寸法は任意である。足掛け部４を環状及び帯状に形成した場合、材質は化学繊維材又はゴム材又はそれらの複合材などが選択できる。寸法は図１（ａ）の場合、差し渡し寸法が１５ｃｍ以内、幅は８ｃｍ以内程度が好ましい。又、足掛け部４と伸縮部材３との間に足掛け部４を回転させた際に伸縮部材３が捩れない為、何らかの接続部材を取り付けても良い。
【０００９】  図２は本発明に係る筋肉トレーニング器の別の態様を示す斜視図（ａ）と一部分を示す側面図（ｂ）である。図２に示す筋肉トレーニング器は、足置き部材１の上面端部に、伸縮部材３を掛けて引き張る方向を変換させる為の回転ローラー５が形成されている。図２に示す回転ローラー５は軸６を縦方向に有しているが、軸方向は任意である。この軸６を中心として回転することで、回転ローラー５に宛がわれ引き張られた伸縮部材はスムーズに引き張る方向を変換することができる。回転ローラーは軸方向を変化させることができる構造であると更に好ましい。図（ｂ）は回転ローラー５の部分を側面から見た図である。図（ｂ）で示す回転ローラー５は中央部が内側に凹んだ凹型になっているが、これは伸縮部材３を外れ難くする為であり、其の他の形状でも良い。材質は任意である。実施上、軸６の部分は軸受及び回転コロなどは金属で形成し、伸縮部材３を宛がう部分はプラスチック又は硬質のゴム材などで形成することが好ましい。又回転ローラーを複数取りつけても良い。
【００１０】  図３は本発明に係る筋肉トレーニング器の別の態様を示す斜視図である。図３に示す筋肉トレーニング器は、足置き部材１の上面に足を乗せて回転させる回転盤７を形成したものである。回転盤７の足置き部材１への取り付け方は色々あるが、図３に示す態様は、足置き部材１と回転盤７を軸６で接続し、該軸６を中心に回転盤７が回転するものである。両部材の接続又は接触箇所にはコロを形成すると回転をスムーズに成らしめることができる。他の方法としては足置き部材１の上面に円形の窪みを形成し、其処に回転盤を嵌め込み、足置き部材１と回転盤７との間にコロを取り付ける方法などである。この様に回転盤７を形成することにより、足掛け部４を引き張りながら、回転盤７に乗せた足を回すことができるので、回転盤７が無い時の運動に比べ、依り複雑な筋肉運動をすることができることとなるのである。寸法は任意であるが回転盤７の直径は１５ｃｍ程度が好ましい。図３では足置き部材１の上部に突出した形態と成っているが、前記で説明した様に回転盤７を足置き部材１に嵌め込み上面を同じ高さにすることが好ましい。又、表面に小さい凹凸を複数個形成すると、滑りを止めることができ好ましい。又、材質は任意であり、足置き部材１と同じでも良いし、他の材質でも良い。
【００１１】  図４は本発明に係る筋肉トレーニング器の別の態様を示す斜視図である。図４に示す筋肉トレーニング器は足掛け部４を環状且つ帯状に形成し、伸縮部材３の取り付け位置に鍔状の跳ね返り防ぎ板８を形成したものである。この様にすることで伸縮部材が切れた際の跳ね返りを該跳ね返り防ぎ板８で更に防ぐことができる。
【００１２】  上記に於いて、本発明の筋肉トレーニング器の各部の好ましい形状及び寸法及び材質に就いて説明したが、上記説明に限定されること無く、形状及び寸法及び材質は適宜経験的に決定できる。
【発明の効果】
【００１３】  本発明の筋肉トレーニング器に依れば、使用中に切れた伸縮部材が足に当たることを防ぐことができるので、安全に使用することができる。
【図面の簡単な説明】
【００１４】
【図１】  本発明の一態様に係る筋肉トレーニング器の形態を示す斜視図（ａ）と一部分の構造を示す斜視図（ｂ）である。
【図２】  本発明の一態様に係る筋肉トレーニング器の形態を示す斜視図（ａ）と一部分の構造を示す側面図（ｂ）である。
【図３】  本発明の一態様に係る筋肉トレーニング器の形態を示す斜視図である。
【図４】  本発明の一態様に係る筋肉トレーニング器の形態の一部分を示す斜視図である。
【符号の説明】
【００１５】１、足置き部材
２、足置き部
３、伸縮部材
４、足掛け部
５、回転ローラー
６、軸
７、回転盤
８、跳ね返り防ぎ板
【図１】
2012030026.tif 000003
【図２】
2012030026.tif 000004
【図３】
2012030026.tif 000005
【図４】
2012030026.tif 000006